(57)【要約】【課題】  スナップやスナップ付きサルカンを利用する釣りでスナップのフック体に強烈な過剰引きでの外れや不具合の起きないロック付きスナップを提供する。【解決手段】  弾線１の両端部を湾曲折り返し其の中間部に設けた止め板２に一体化し、該弾線１の上端折曲部１ａは止板２の上辺２ａより突き出して固着し、下辺２ｂに突き出して折り返しでなるフック体１ｂは先端に折曲鉤部３を形成し，止板２の一側２ｃに設けた曲爪４に弾発Ａを受け緩く差し込まれ、当該曲爪４の側面端子４ａに掛け外し自在でなる釣り用スナップにおいて、当該曲爪４の側面端子４ａに突部５を設けた構成にする。【選択図】図１
0003153535.tif 000002
【実用新案登録請求の範囲】
【請求項１】
弾線１の両端部を湾曲折り返し其の中間部に設けた止め板２には、該弾線１の上端折曲部１ａは止板２の上辺２ａより突き出してリング状に固定し、下辺２ｂに突き出して彎曲折り返しでなるフック体１ｂは先端に折曲鉤部３を形成し，止板２の一側２ｃに設けた曲爪４に弾発Ａを受け緩く差し込まれ、当該曲爪４の側面端子４ａに掛け外し自在でなる釣り用スナップにおいて、該曲爪４の側面端子４ａに突部５を設けたことを特徴とするロック付きスナップ。
【考案の詳細な説明】
【０００１】  この考案は、魚釣り仕掛け用具を接続する、スナップの改良に関し、詳しくは、閉じたスナップのフックに強烈な繰り返し引っ張り力が付加しても、フックの先端の鉤部が止め板から外れたり、スナップ破損等の無い強靭なスナップに関する。
【背景技術】
【０００２】  此の種の従来の技術として、古くから定着して使われる釣り用スナップが実用新案文献１に記載され開示されている。即ち、図３の全体を示しての斜視図で示すが、一本でなるバネ性金属材、弾線１の両端部を小さい湾曲と大きい湾曲での折り返しを設け、其の２つの湾曲の中間部に設けた止板２に固定し、該弾線１の小さな上端折曲部１ａは止板２の上辺２ａより突き出してリング状に固定し、下辺２ｂに突き出して折り返した大きな湾曲でなるフック体２の弾線１の先端に折曲鉤部３を形成し、止板２の一側２ｃに折り曲げた曲爪４の開口部に弾発Ａを受けながら、曲爪４の側面端子４ａに掛け外し自在に差し込まれ、これらのフック体２に用具を吊るす事の出来る、釣り用スナップを構成している。
【実用新案文献１】
【０００３】実用新案出願広告  昭３０−５８７４
【考案の開示】
【考案が解決しようとする課題】
【０００４】  しかしながら、文献１での釣り用スナップ（釣糸用ナスカン）は釣り場で仕掛けを図４での故障モードでの斜視図で示す様に、例えば、道糸Ｂを釣り用スナップの弾線１の止板２の上辺２ａに設けた上端折曲部１ａに固く絡ませ結び、止板２の下辺２ｂに設けたフック体１ｂの先端を開口して折り曲げられた曲爪４から外し、開放されたフック体１ｂの先端から疑似餌を差し込みフック体１ｂに吊るし閉じ、疑似餌を水中に投げ込み魚釣りが行なわれるが、疑似餌に食い付いた魚の過激な引っ張り合いが釣り人との間で激化し、フック体１ｂの先端部の折曲鉤部３が曲爪４の側面端子４ａに引っ掛けられた状態でホールドされ、フック体１ｂにかかる変則的で強烈な引きで、フック体１ｂが湾曲変形と共に側面端子４ａに引っ掛けられてホールドされた折曲鉤部３が側面端子４ａを滑り移動し、曲爪４の開口部から抜け出し、脱落する事で、疑似餌ごと魚を取り逃がす等の課題がある。【０００５】  また、弾線１の線径を太くしフック体１ｂを強靭にし変形を防ごうとすれば、止板２の開口部に差し込み、折曲鉤部３を曲爪４の側面端子４ａに引っ掛ける操作の指先に強力な力が必要になりフック体１ｂの開閉操作に難がある等の課題が残る。【０００６】  また、サルカンのリングに接続してセット構成の、スナップ付きサルカンにおいては、サルカンのリング抜け等の破壊強度とスナップのフック体１ｂ外れ強度との間に大きい強度差があり、古くから、強靭なスナップで且つ、弱い操作力でサルカン破壊強度同等の優れたスナップが出来る事で強靭なスナップ付きサルカンの具現化が望まれていた。
【課題を解決する為の手段】
【０００７】  この考案は、かかる課題を解決する為に、請求項１での考案は図１での全体を示しての斜視図で述べるに、弾線１の両端部を湾曲折り返し其の中間部に設けた止板２には、該弾線１の上端折曲部１ａは止板の上辺２ａより突き出してリング状に固定し、下辺２ｂに突き出して湾曲折り返しでなるフック体１ｂ先端に折曲鉤部３を形成し、止板２の一側２ｃに設けた曲爪４に弾発Ａを受け緩く差し込まれ、当該曲爪４の側面端子４ａに掛け外し自在でなる釣り用スナップにおいて、該曲爪４の側面端子４ａに突部５を設けた構成とする。
【考案の効果】
【０００８】  本考案は上述通り構成作用するので、次の優れた効果を奏する。即ち、スナップのフック体に吊るされた用具、たとえば疑似餌が水中で魚の食いつきで強烈な引きや、衝撃的な引っ張り負荷を受けても、フック体の折曲鉤部が僅かのズレで曲爪の側面端子に設けた突部に止められ曲爪から脱落することの無いロック付きスナップを提供出来る。
そしてまた、細い弾線で作られるスナップは小形、軽量に出来且つ、弱い指先の操作力で強靭なフック体からなる、ロック付きスナップを提供出来る。
【効果を実施するための最良の形態】
【０００９】  以下に図示の実施例に基づいて本考案を更に詳細に説明する。即ち、図１は本考案での全体を示しての斜視図で、バネ性で金属線材を使い、両端部を湾曲に折り返しその中間部に設けた薄い金属板の止板２に固定するが、片方の小さい湾曲でなる上端折曲部１ａは止板２の上辺２ａより突き出して固定され、他方の一端にはやや大き細長い湾曲折り返しで止板２の下辺２ｂに突き出してなるバネ性のある弾発Ａを持つフック体１ｂにし、そのバネ性のあるフック体１ｂの先端は折り曲げた折曲鉤部３にしたフック体１ｂ構成としている。そして、止板２の一側２ｃに折り返して設けた曲爪４の曲げ底に折曲鉤部３は弾発Ａを受け差し込んで側面端子４ａに引っ掛けてフック体１ｂを開閉自在にし、釣り用具をフック体１ｂに吊るすスナップにおいて、これらのフック体１ｂの折曲鉤部３の引っ掛けて固定する曲爪４の折返しの側面端子４ａに突部５を設けた構成にする事で、側面端子４ａに引っ掛けた折曲鉤部３の脱落が突部５に遮られ、用具脱落の防止可能な構成にする。
【００１０】  次に、図２は本考案での使用例で過激な力がフック体１ｂに負荷した状態での全体を示しての斜視図で、上端折曲部１ａには道糸Ｂが接続され、バネ性のある先端に折曲鉤部３を持つフック体１ｂにはルアーフィッシング釣りでの疑似餌（ルアー）Ｃが吊るされ、この最も人気のあるルアー釣りでは１メートルもあるスズキを釣り上げるに一般的に使われるが、海中でルアーに食い付いた魚は、釣り人と強豪な獲物との引き合いが始まるが、フック体１ｂにかかる矢印方向えの引きが、限界に達するとフック体１ｂの湾曲が伸び始まり止板２の側面端子４ａに引っ掛かかっていた折曲鉤部３が徐々にズレ動き、出っ張りの突部５で動きが止まり、フック体１ａが止板２から外れ、ルアーの脱落を防ぐ事の出来る効果を奏している。即ち、限りなく引っ張りが強行することで、折曲鉤部３は側面端子４ａと突部５に亀裂や破損が無い限り強靭な今までないロック付きスナップを具現化出来る。
【００１１】  そして、前記するオーバー荷重でのフック体１ｂの従来の欠点は側面端子４ａに一体化する突部５に依って解決することで、数々の形態で加工される大小、強弱、様々なスナップは弾線１の引っ張りでの破断強度は限りなく大きい事からして従来のサイズでのフック体１での強さに相当する強さを得るのに、かなり細い弾線１を使い取り外しに弱い操作力のロック付きスナップが出来る事で、今までない小形で軽量で取り扱いが便利で、破損する危険性の激減する低コストのロック付きスナップを提供するもので、本実施例では釣りの仕掛けで使うロック付きスナップを道糸Ａに吊るす疑似餌Ｃの接続に利用したが、比較的多く使われるサルカンにペアーでロック付きスナップを設定しても良く、或いは、フック体１には投げ込み釣りや胴づき釣りでの重り或いは、船でのビシ釣りのビシ等ルアー以外での用具を吊るすことが出来るのは従来から知られる用途に準ずるものであるが、他の日用品や工業用品等に利用出来、この考案は、釣り具の用途に特定するもので無く、ここに最適な事例を述べたに過ぎない。
【図面の簡単な説明】
【００１２】
【図１】    本考案に係わる実施例での接続を兼ねての全体を示しての斜視図である。
【図２】    本考案に係わる使用例での故障モードを示しての斜視図である。
【図３】    従来技術に係わる接続を兼ねての全体斜視図である。
【図４】    従来技術に係わる使用例で故障モードを示しての全体斜視図である。
【符合の説明】
【００１３】Ａ      弾発
Ｂ      道糸
Ｃ      弾線
１      弾線
１ａ    上端折曲部
１ｂ    フック体
２      止板
２ａ    上辺
２ｂ    下辺
２ｃ    一側
３      折曲鉤部
４      曲爪
４ａ    側面端子
５      突部
【図１】
0003153535.tif 000003
【図２】
0003153535.tif 000004
【図３】
0003153535.tif 000005
【図４】
0003153535.tif 000006